(57)【要約】      （修正有）【課題】マルチメディア学習装置の学習データ検索及び提供方法を開示する。【解決手段】メモリー領域をファイルデータ、章データ、節データ、句データ、文章データで分類する分類段階と、上位データが下位データのインデックス情報を貯蔵する上位データ形成段階と、前記文章データに対応する第１メモリー領域に文章単位の学習データを提供するための複数個の文字及び音声データのインデックスを貯蔵し、各インデックスに対応する第２メモリー領域のそれぞれには、該当文字データ又は音声データを貯蔵する文章データ形成段階を具備する。これにより、学習データの検索及び提供をより効率的に遂行する。【選択図】図２
2005202916.tif 000002
【特許請求の範囲】
【請求項１】
メモリー領域をファイルデータ、章データ、節データ、句データ、文章データを貯蔵するためのメモリー領域で分類する分類段階；
前記ファイルデータに対応するメモリー領域に前記ファイルのディスプレー情報と、前記ファイルに含まれる各章データのインデックスを貯蔵するファイルデータ形成段階；
前記章データに対応するメモリー領域に前記章のディスプレー情報と、前記章に含まれる各節データのインデックスを貯蔵する章データ形成段階；
前記節データに対応するメモリー領域に前記節のディスプレー情報と、前記節に含まれる各句データのインデックスを貯蔵する節データ形成段階；
前記句データに対応するメモリー領域に前記句のディスプレー情報と、前記句に含まれる各文章データのインデックスを貯蔵する句データ形成段階；及び
前記文章データに対応するメモリー領域の第１領域には文章単位の学習データを提供するための複数個の文字及び音声データのインデックスを貯蔵して、各インデックスに対応するメモリー領域の第２領域には複数個の文字データ及び音声データを貯蔵する文章データ形成段階を具備することを特徴とするマルチメディア学習装置のデータベース構成方法。
【請求項２】
前記インデックスは、該当のデータが貯蔵されたメモリー領域のアドレスと前記メモリー領域の大きさの情報で構成されることを特徴とする請求項１記載のマルチメディア学習装置のデータベース構成方法。
【請求項３】
前記複数個の文字データは、学習データを文章単位で提供することにおいて、前記文章を説明するために少なくとも一つ以上の外国語文字データとネーティブスピーカー文字データを含むことを特徴とする請求項１記載のマルチメディア学習装置のデータベース構成方法。
【請求項４】
前記複数個の音声データは、学習データを文章単位で提供することにおいて、前記文章の発音を提供するために、少なくとも一つ以上の外国語音声データであることを特徴とする請求項１記載のマルチメディア学習装置のデータベース構成方法。
【請求項５】
前記複数個の音声データは、学習データを文章単位で提供することにおいて、前記文章の発音を提供するためにネーティブスピーカー音声データをさらに含むことを特徴とする請求項４記載のマルチメディア学習装置のデータベース構成方法。
【請求項６】
ファイルデータは下位データに章データを持ち、前記章データは下位データに節データを持ち、前記節データは下位データに句データを持ち、前記句データは下位データに文章データを持ち、各上位データは前記各上位データのディスプレー情報と各下位データのインデックスを持ち、前記文章データは文章単位の学習データを提供するための複数個の文字及び音声データを持つ貯蔵手段を利用するマルチメディア学習装置の学習データ検索方法において、
前記上位データそれぞれのディスプレー情報をリーディングして出力して、特定上位データが選択されるかを感知する段階；
前記特定上位データが選択されると、前記選択された上位データに含まれる前記下位データがあるかを判断する段階；及び
判断の結果、前記上位データに含まれる前記下位データがあると、前記下位データのインデックスをリーディングして、前記下位データをリーディングして、前記リーディングされた上位下位データを前記上位データで認識して、前記上位データに含まれる前記下位データがなければ、前記上位データが前記文章データであることを確認して、前記文章データに貯蔵された複数個の文字及び音声データをリーディングして出力する段階を具備することを特徴とするマルチメディア学習装置の学習データ検索方法。
【請求項７】
前記インデックスは、該当のデータが貯蔵された前記貯蔵手段のメモリー領域のアドレスと、前記メモリー領域の大きさの情報で構成されることを特徴とする請求項６記載のマルチメディア学習装置の学習データ検索方法。
【請求項８】
前記複数個の文字データは、学習データを文章単位で提供することにおいて、前記文章を説明するために少なくとも一つ以上の外国語文字データとネーティブスピーカー文字データを含むことを特徴とする請求項６記載のマルチメディア学習装置の学習データ検索方法。
【請求項９】
前記複数個の音声データは、学習データを文章単位で提供することにおいて、前記文章の発音を提供するための少なくとも一つ以上の外国語音声データであることを特徴とする請求項６記載のマルチメディア学習装置の学習データ検索方法。
【請求項１０】
前記複数個の音声データは、学習データを文章単位で提供することにおいて、前記文章の発音を提供するためのネーティブスピーカー音声データをさらに含むことを特徴とする請求項９記載のマルチメディア学習装置の学習データ検索方法。
【請求項１１】
ファイルデータは下位データに章データを持ち、前記章データは下位データに節データを持ち、前記節データは下位データに句データを持ち、前記句データは下位データに文章データを持ち、各上位データは前記各上位データのディスプレー情報と各下位データのインデックスを持ち、前記文章データは文章単位の学習データを提供するための複数個の文字及び音声データを持つ貯蔵手段を利用するマルチメディア学習装置の学習データ提供方法において、
対話と追うことと作文にあたる学習方法の中から一つの学習方法を選択する学習方法設定段階；
前記対話の学習方法が選択されると、前記句データで相手の役目にあたる文章データのインデックスをリーディングして、前記文章データのインデックスそれぞれに対応する文章データに貯蔵された複数個の文字データ及び音声データをリーディングして出力する段階；
前記追うことの学習方法が選択されると、前記句データで全体文章データのインデックスをリーディングして、前記文章データのインデックスそれぞれに対応する文章データに貯蔵された複数個の文字データと音声データをリーディングして出力する段階；及び
前記作文の学習方法が選択されると、前記句データで全体文章データのインデックスをリーディングして、前記文章データのインデックスそれぞれに対応する文章データに貯蔵されたネーティブスピーカー文字データを先に出力して、今後に外国語文字データをリーディングして出力する段階を具備することを特徴とするマルチメディア学習装置の学習データ提供方法。
【請求項１２】
前記インデックスは、該当のデータが貯蔵された前記貯蔵手段のメモリー領域のアドレスと、前記メモリー領域の大きさの情報で構成されることを特徴とする請求項１１記載のマルチメディア学習装置の学習データ提供方法。
【請求項１３】
前記複数個の文字データは、学習データを文章単位で提供することにおいて、前記文章を説明するために少なくとも一つ以上の外国語文字データとネーティブスピーカー文字データを含むことを特徴とする請求項１１記載のマルチメディア学習装置の学習データ提供方法。
【請求項１４】
前記複数個の音声データは、学習データを文章単位で提供することにおいて、前記文章の発音を提供するために少なくとも一つ以上の外国語音声データであることを特徴とする請求項１１記載のマルチメディア学習装置の学習データ提供方法。
【請求項１５】
前記複数個の音声データは、学習データを文章単位で提供することにおいて、前記文章の発音を提供するためのネーティブスピーカー音声データをさらに含むことを特徴とする請求項１４記載のマルチメディア学習装置の学習データ提供方法。
【請求項１６】
ファイルデータは下位データに章データを持ち、前記章データは下位データに節データを持ち、前記節データは下位データに句データを持ち、前記句データは下位データに文章データを持ち、各上位データは前記各上位データのディスプレー情報と各下位データのインデックスを持ち、前記文章データは文章単位の学習データを提供するための複数個の文字及び音声データを持つ貯蔵手段を利用するマルチメディア学習装置の学習データ提供方法において、
反復学習しようとする学習単位を章、節、句、文章単位で設定して、反復回数を設定する段階；
特定章データが選択されて、章単位で反復学習することが選択されていれば、前記章データに含まれる節データ、句データ、文章データを一つのグループで設定して、前記グループにあたる複数個の文章データそれぞれに貯蔵された複数個の文字データと音声データを前記設定された反復回数分反復して出力する段階；
特定節データが選択されて、節単位で反復学習することが設定されていれば、前記節データに含まれる句データ、文章データを一つのグループで設定して、前記グループにあたる複数個の文章データを前記設定された反復回数分反復する段階；
特定句データが選択されて、句単位で反復学習することが設定されていれば、前記句データに含まれる文章データを一つのグループで設定して、前記グループにあたる複数個の文章データを前記設定された反復回数分繰り返す段階；及び
特定文章データが選択されて、文章単位で反復学習することが設定されていると、前記文章データを前記設定された反復回数分繰り返す段階を具備することを特徴とするマルチメディア学習装置の学習データ提供方法。
【請求項１７】
前記インデックスは、
該当データが貯蔵された前記貯蔵手段のメモリー領域のアドレスと前記メモ
里領域の大きさの情報で構成されることを特徴とする請求項１６記載のマルチメディア学習装置の学習データ提供方法。
【請求項１８】
前記複数個の文字データは、
学習データを文章単位で提供することにおいて、前記文章を説明するための少なくとも一つ以上の外国語文字データとネーティブスピーカー文字データを含むことを特徴とする請求項１６記載のマルチメディア学習装置の学習データ提供方法。
【請求項１９】
前記複数個の音声データは、
学習データを文章単位で提供することにおいて、前記文章の発音を提供するための少なくとも一つ以上の外国語音声データであることを特徴とする請求項１６記載のマルチメディア学習装置の学習データ提供方法。
【請求項２０】
前記複数個の音声データは、
学習データを文章単位で提供することにおいて、前記文章の発音を提供するためのネーティブスピーカー音声データをさらに含むことを特徴とする請求項１７記載のマルチメディア学習装置の学習データ提供方法。
【請求項２１】
ファイルデータは下位データに章データを持ち、前記章データは下位データに節データを持ち、前記節データは下位データに句データを持ち、前記句データは下位データに文章データを持ち、各上位データは前記各上位データのディスプレー情報と各下位データのインデックスを持ち、前記文章データは文章単位の学習データを提供するための複数個の文字及び音声データを持つ貯蔵手段を利用するマルチメディア学習装置の学習データ提供方法において、
特定文章データが選択されると、前記文章データに貯蔵された第１外国語文字データとネーティブスピーカー文字データと第１外国語音声データを出力して、第２外国語文字データへの文章転換が要請されるかを判断する段階；及び
文章転換が要請されると、前記文章データに貯蔵された第２外国語文字データをリーディングして、前記第２外国語文字データを前記第１外国語文字データの代わりに出力する段階を具備することを特徴とするマルチメディア学習装置の学習データ提供方法。
【請求項２２】
前記インデックスは、
該当のデータが貯蔵された前記貯蔵手段のメモリー領域のアドレスと前記メモリー領域の大きさの情報で構成されることを特徴とする請求項２１記載のマルチメディア学習装置の学習データ提供方法。
【請求項２３】
前記複数個の文字データは、
学習データを文章単位で提供することにおいて、前記文章を説明するための少なくとも一つ以上の外国語文字データとネーティブスピーカー文字データを含むことを特徴とする請求項２１記載のマルチメディア学習装置の学習データ提供方法。
【請求項２４】
前記複数個の音声データは、
学習データを文章単位で提供することにおいて、前記文章の発音を提供するための少なくとも一つ以上の外国語音声データであることを特徴とする請求項２１記載のマルチメディア学習装置の学習データ提供方法。
【請求項２５】
前記複数個の音声データは、
学習データを文章単位で提供することにおいて、前記文章の発音を提供するためのネーティブスピーカー音声データをさらに含むことができることを特徴とする請求項２４記載のマルチメディア学習装置の学習データ提供方法。
【発明の詳細な説明】
【技術分野】
【０００１】
本発明はマルチメディア学習装置に関するもので、特に、学習データをより便利に検索して効率的に提供するためのマルチメディア学習装置の学習データ検索及び提供方法に関するものである。
【０００２】
マルチメディア学習装置は、学習しようとする語学学習データをLCD画面(又は、タッチスクリーン)を通して視覚的に表示して、これと同時にスピーカー又は、オーディオ装置を通して聴覚的に出力する装置である。
【０００３】
そして学習者は、別途の教材を携帯しなくても、学習しようとする語学学習データをマルチメディア学習装置を通して聴覚的及び視覚的に提供されることができる。
【背景技術】
【０００４】
図１は、従来の技術に係るデータベースの構造を図示した図面である。
【０００５】
この時のマルチメディア学習装置は、外国語として英語を提供してネーティブスピーカーで韓国語を提供すると仮定する。
【０００６】
このためにマルチメディア学習装置は、英語文字及び音声データと韓国語文字データを具備する。
【０００７】
続いて図１を参照すると、データベースは英語文字データを貯蔵する英語文字ファイルと、英語音声データを貯蔵する英語音声ファイルと、韓国語文字データを貯蔵する韓国語文字ファイル（ハングル文字ファイル）を具備する。
【０００８】
そして各ファイルは、インデックスと、複数個のマーキング情報と、複数個のデータを含み、インデックスはファイルのヘッダー部分に貯蔵されて全体ファイルデータが貯蔵されているメモリー領域のアドレスを提供して、各マーキング情報は文章単位のデータが貯蔵されているメモリー領域のアドレスを知らせる。
【０００９】
そして従来のマルチメディア学習装置が学習者に学習データを提供する場合、英語文字データが貯蔵された英語文字ファイルと、これに相応する韓国語文字データが貯蔵された韓国語文字ファイル（ハングル文字ファイル）と、これに相応する英語音声データが貯蔵された英語音声ファイルを同時に必要とした。
【００１０】
そして各ファイルのインデックスをリーディングして、三つのファイルそれぞれの全体ファイルデータベースが貯蔵されたメモリー領域のアドレスを把握して、またマーキング情報を利用して同一な文章にあたる英語文字データ、韓国語文字データ、そして英語音声データをリーディングして、これらを同期化して出力した。そしてマルチメディア学習装置の画面の上ラインには英語文字データが表示され下ラインにはハングル文字データが表示されて、スピーカーでは英語発音が出力された。
【００１１】
したがって、従来のマルチメディア学習装置の場合、学習者が要する文章単位の学習データを探すためには、全体ファイルデータベースを読むことができる位の大きい臨時メモリーを要するようになり、又、これを読み、マーキング情報を利用して望む文章を探すために多くの時間が所要する問題点がある。
【００１２】
これによって、学習者は即時に文字を見て音声を聞くことができないだけではなく、多くのメモリーが所要されることで、マルチメディア学習装置の生産原価が上昇して、消費価格が増加されることで、マルチメディア学習装置の使用、普及の効率的な促進が行われないなどの付加的な問題点も生じる。
【発明の開示】
【発明が解決しようとする課題】
【００１３】
本発明は前記した問題点を解決するためのものであり、ファイルデータベースを章データ、節データ、句データ、文章データに分類して、文章データには外国語文字データと原語民文字データと、ここにあたる音声データを同時にメモリーして、前記のファイルデータベースを利用して学習データの検索及び提供動作を遂行するようにして学習データの検索及び提供動作の効率を増大するマルチメディア学習装置の学習データ検索及び提供方法を提供するものである。
【課題を解決するための手段】
【００１４】
前記の目的を達成するために、本発明に係るマルチメディア学習装置のデータベース構成方法は、メモリー領域をファイルデータ、章データ、節データ、句データ、文章データを貯蔵するためのメモリー領域で分類する分類段階と、前記ファイルデータに対応するメモリー領域に、前記ファイルのディスプレー情報と、前記ファイルに含まれる各章データのインデックスを貯蔵するファイルデータ形成段階と、前記章データに対応するメモリー領域に前記章のディスプレー情報と、前記章に含まれる各節データのインデックスを貯蔵する章データ形成段階と、前記節データに対応するメモリー領域に、前記節のディスプレー情報と、前記節に含まれる各句データのインデックスを貯蔵する節データ形成段階と、前記句データに対応するメモリー領域に前記句のディスプレー情報と、前記句に含まれる各文章データのインデックスを貯蔵する句データ形成段階と、前記文章データに対応するメモリー領域の第１領域には文章単位の学習データを提供するための複数個の文字及び音声データのインデックスを貯蔵して、各インデックスに対応するメモリー領域の第２領域には複数個の文字データ及び音声データを貯蔵する文章データ形成段階を具備することを特徴とする。
【００１５】
前記の目的を達成するための本発明に係るマルチメディア学習装置の学習データ検索方法は、前記上位データそれぞれのディスプレー情報をリーディングして出力して、特定上位データが選択されるかを感知する段階と、前記特定上位データが選択されると、前記選択された上位データに含まれる前記下位データがあるのか判断する段階と、判断の結果、前記上位データに含まれる前記下位データがあれば、前記下位データのインデックスをリーディングして、前記下位データをリーディングして、前記リーディングされた前記下位データを前記上位データで認識して、前記上位データに含まれる前記下位データがなければ、前記上位データが前記文章データであることを確認して、前記文章データに貯蔵された複数個の文字及び音声データをリーディングして出力する段階を具備することを特徴とする。
【００１６】
前記の目的を達成するための本発明の第１形態に係るマルチメディア学習装置の学習データ提供方法は、対話することと、追うことと、作文することにあたる学習方法の中から一つの学習方法を選択する学習方法設定段階と、前記対話することの学習方法が選択されれば、前記句データで相手の役目にあたる文章データのインデックスをリーディングして、前記文章データのインデックスそれぞれに対応する文章データに貯蔵された複数個の文字データ及び音声データをリーディングして出力する段階と、前記追うことの学習方法が選択されれば、前記句データで全体文章データのインデックスをリーディングして、前記文章データのインデックスそれぞれに対応する文章データに貯蔵された複数個の文字データと音声データをリーディングして出力する段階と、前記作文することの学習方法が選択されれば、前記句データで全体文章データのインデックスをリーディングして、前記文章データのインデックスそれぞれに対応する文章データに貯蔵されたネーティブスピーカー文字データを先に出力して、今後に外国語文字データをリーディングして出力する段階を具備することを特徴とする。
【００１７】
前記の目的を達成するための本発明の第２形態に係るマルチメディア学習装置の学習データ提供方法は、反復学習しようとする学習単位を章、節、句、章単位で設定して、反復回数を設定する段階と、特定章データが選択されて、章単位で反復学習するのが選択されていれば、前記章データに含まれる節データ、句データ、文章データを一つのグループで設定して、前記グループにあたる複数個の文章データそれぞれに貯蔵された複数個の文字データと音声データを前記設定された反復回数分反復して出力する段階と、特定節データが選択されて、節単位で反復学習するのが設定されていれば、前記節データに含まれる句データ、文章データを一つのグループで設定して、前記グループにあたる複数個の文章データを前記設定された反復回数分繰り返す段階と、特定句データが選択されて、句単位で反復学習するのが設定されていれば、前記句データに含まれる文章データを一つのグループで設定して、前記グループにあたる複数個の文章データを前記設定された反復回数分繰り返す段階と、特定文章データが選択されて、文章単位で反復学習することが設定されていれば、前記文章データを前記設定された反復回数分繰り返す段階を具備することを特徴とする。
【００１８】
前記の目的を達成するための本発明の第３形態に係るマルチメディア学習装置の学習データ提供方法は、特定文章データが選択されれば、前記文章データに貯蔵された第１外国語文字データと、ネーティブスピーカー文字データと、第１外国語音声データを出力して、第２外国語文字データへの文章転換が要請されるかを判断する段階と、文章転換が要請されれば、前記文章データに貯蔵された第２外国語文字データをリーディングして、前記第２外国語文字データを前記第１外国語文字データの代わりに出力する段階を具備することを特徴とする。
【発明の効果】
【００１９】
上述したように、本発明に係るマルチメディア学習装置は、ファイルデータベースを章、節、句、文章データで分類されたファイルデータベースを具備して、これを利用して学習しようとする学習データを検索することで検索の効率性を増大する。
【００２０】
また、外国語文字データと、ネーティブスピーカー文字データと、これにあたる音声データを同時にメモリーしたファイルデータベースの文章データを利用して学習データを提供することで、対話、作文、追うこと、繰り返すこと、文章転換等のような多様な学習データ提供方法をより易しく適用するようにする。
【発明を実施するための最良の形態】
【００２１】
以下、添付した図面を参照して本発明のマルチメディア学習装置の学習データ検索及び提供方法を説明すると次のようである。
【００２２】
図２及び図３乃至図７は、本発明の技術に係るファイルデータベースの構造を図示した図面である。
【００２３】
本発明のファイルデータベースは、第１外国語で英語を、原語民語で韓国語を提供して、付加的に第２外国語で日本語を、第３外国語でドイツ語をさらに 提供するためのファイルデータベースであることを仮定する。
【００２４】
ここにファイルデータベースは、英語文字データを第１文字データで、韓国語文字データを第２文字データで、日本語文字データを第３文字データで、ドイツ語文字データを第４文字データで、英語音声データを第１音声データで、日本語音声データを第２音声データを持つと仮定する。
【００２５】
ここでは、文字データ及び音声データの個数を４個と２個に限定したが、必要によっては文字データ及び音声データの個数を増加、または、減少させて構成することができる。
【００２６】
また、音声データで外国語の代りに原語民語を適用して構成することができる。
【００２７】
本発明のファイルデータベースは、図２に図示したように、ファイル(Ｓ１)、章(Ｓ１１、Ｓ１２)、節(Ｓ１１１、Ｓ１１２、Ｓ１２１、Ｓ１２２)、句(Ｓ１１１１〜Ｓ１１１３、Ｓ１１２１、Ｓ１１２２、Ｓ１２１１、Ｓ１２１２、Ｓ１２２１)、及び文章単位(Ｓ１１１１１〜Ｓ１１１１N、Ｓ１１１２１〜Ｓ１１１２N、Ｓ１１１３〜Ｓ１１１３N、Ｓ１１２１１〜Ｓ１１１２N、Ｓ１１２２１〜Ｓ１１２２１N、Ｓ１２１１１〜Ｓ１２１１N、Ｓ１２１２１〜Ｓ１２１２N、Ｓ１２２１１〜Ｓ１２２１N)で分けて、上位単位のデータは下位単位のデータのインデックスを貯蔵する構造を持つ。
【００２８】
ここに、図３のファイルデータには該当のファイルのディスプレー情報と、ファイルが提供する学習データの属性情報と、下位単位のデータである章データそれぞれのインデックスが貯蔵される。
【００２９】
ディスプレー情報は、画面に表示されるファイルの識別番号と名称情報、またはアイコンの情報を持つ。
【００３０】
学習データの属性情報は、ファイルデータベースが提供することができる文字、または音声の形態で提供することができる言語の種類に対する情報を持つ。
【００３１】
ここに、前記で仮定したように、ファイルデータベースが英語、韓国語、日本語、ドイツ語それぞれにあたる文字データを持ち、英語、日本語にあたる音声データが持つと、学習データの属性情報には文字データの個数は４個であり、音声データの個数は２個であることが貯蔵される。
【００３２】
インデックスは、該当のファイルが含む章データの個数、各章データが貯蔵されたメモリー領域のアドレスと、該当のメモリー領域の大きさに対する情報を持つ。そして、図４の章データには、該当の章データのディスプレー情報と、下位単位のデータ節データそれぞれのインデックスが貯蔵される。
【００３３】
図５の節データには、該当の節データのディスプレー情報と、下位単位のデータ句データそれぞれのインデックスが貯蔵される。
【００３４】
図６の句データには、該当の句データのディスプレー情報と、下位単位のデータ文章データそれぞれのインデックスが貯蔵される。
【００３５】
図７の文章データは、一つの文章を説明するための複数個の文字データ及び音声データそれぞれのインデックスと、各インデックスに対応するメモリー領域には実質的な文字データ及び音声データが貯蔵される。
【００３６】
このようなファイルデータ、章データ、節データ、句データは学習者に提供するコンテンツを検索する場合に利用されて、文章データは学習者にコンテンツを提供するために利用される。
【００３７】
図８は、本発明のファイルデータベースを利用するマルチメディア学習装置の学習データ検索方法を説明するためのフローチャートである。
【００３８】
先に、学習データの検索が始まると、マルチメディア学習装置はファイルメニューを上位学習メニューで認識して、複数個のファイルデータそれぞれに貯蔵されたファイルディスプレー情報をリーディングして、リーディングされた複数個のファイルディスプレー情報を画面に表示して、特定ファイルメニューを選択するようにする。すなわち、上位学習メニュー選択画面を出力する(段階Ｓ１１)。
【００３９】
この時のマルチメディア学習装置は、図９のように構成される画面を出力して、使用者がマルチメディア学習装置で提供するファイルの種類を手軽く把握して、特定ファイルを選択するようにする。
【００４０】
学習者により特定ファイルメニューが選択されるかを持続的に感知して(Ｓ２段階)、学習者がマルチメディア装置の画面、またはキーボタンの操作を通して特定ファイルメニューを選択すると、選択されたファイルメニューにあたるファイルデータに貯蔵された章の個数情報を読んで、ファイルにあたる下位学習メニューが存在するかを確認する(段階Ｓ１３)。
【００４１】
段階Ｓ１３の確認結果、章の個数が０でないと、ファイルメニューにあたる下位メニューである章メニューが存在すると判断して、ファイルデータに貯蔵された複数個の章インデックスをリーディングして、複数個の章データそれぞれが貯蔵されたメモリー領域のアドレス及び大きさの情報をリーディングする(段階Ｓ１４)。複数個の章データそれぞれが貯蔵されたメモリー領域のアドレス及び大きさの情報がリーディングされると、マルチメディア学習装置は章メニューを上位学習メニューに再認識する(Ｓ１５段階)。
【００４２】
ここで、マルチメディア学習装置は複数個の章データそれぞれに貯蔵された章ディスプレー情報をリーディングして、リーディングされた複数個の章ディスプレー情報を画面に表示して、特定章メニューを選択するようにする。すなわち、上位学習メニュー選択画面を出力する(段階Ｓ１１)。この時のマルチメディア学習装置は、図１０のように構成される画面を出力して、使用者が選択したファイルメニューにあたる章メニューの種類を手軽く把握して、これによって、特定章メニューを手軽く選択するようにする。
【００４３】
このような方法で、マルチメディア学習装置は、章メニューの下位学習メニューである節メニューを上位学習メニューに再認識して、図１１のように構成される画面をそれぞれ出力して、また節メニューの下位学習メニューである句メニューを上位学習メニューに再認識して図１２のように構成される画面をそれぞれ出力して使用者が望む学習データを検索できるようにする。
【００４４】
一方、段階Ｓ１３の確認結果、下位学習メニューが存在しないと判断されると、マルチメディア学習装置は現在の学習メニューが最下位学習メニューである文章メニューを確認して、文章データに貯蔵された第１及び第２文字データと第１音声データそれぞれのインデックスを読んで、これを利用して該当の第１文字データと第２文字データと第１音声データをリーディングして、リーディングされた第１文字データと第２文字データと第１音声データを出力する(段階Ｓ１６)。
【００４５】
この時、文字データは図１３に図示したように、第１文字データは画面の上ラインに、第２文字データは画面の下ラインに表示されて、第１音声データは外部のスピーカーを通して音声に出力される。
【００４６】
図１４及び図１５は、本発明のデータベースを利用するマルチメディア学習装置のデータ提供方法の一例を説明するためのフローチャートである。
この時のマルチメディア学習装置は、対話と追うことと作文にあたる学習方法を提供すると仮定する。
【００４７】
対話は、マルチメディア学習装置と対話演習をする機能で、使用者がＡあるいはＢの役目を選択して学習するようにする学習方法である。
【００４８】
追うことは、マルチメディア学習装置で出力する学習データを使用者が追うことができるように時間を与える学習方法である。
【００４９】
作文することは、マルチメディア学習装置でネーティブスピーカー言語を先に画面に表示して、使用者がネーティブスピーカー言語にあたる外国語文章を入力すると、マルチメディア学習装置に貯蔵された外国語文章を画面に表示して正解可否を確認するようにする学習方法である。
【００５０】
したがって、この時のマルチメディア学習装置は使用者が対話と追うことと作文の三つの項目の中から一つの項目を選択すると、選択された学習方法によって学習データを提供する。
【００５１】
先にマルチメディア学習装置の電源がオンされて、初期化作業が遂行されると、使用者は画面やキーボタンを操作して学習環境を設定する。使用者は対話、追うこと、及び作文の学習方法の中から一つの学習方法を選択する(段階Ｓ２１)。
【００５２】
初期化作業が完了すると、使用者は図９〜図１３に説明された検索方法を利用して提供受けようとする句メニューを検索する(段階Ｓ２２)。
【００５３】
段階Ｓ２２を通して学習メニューの検索が完了すると、マルチメディア学習装置は初期化の時に設定された学習環境をリーディングして、対話項目（話し合い）が選択されたのかを確認する(段階Ｓ２３)。
【００５４】
段階Ｓ２３の確認結果、対話（話し合い）項目が選択されたら、マルチメディア学習装置は、選択された句データに貯蔵された文章インデックスの中から相手の役目にあたる文章インデックスのみをリーディングする(段階Ｓ２４)。
【００５５】
リーディングされた文章インデックスを利用して相手の役目にあたる文章データを把握する(段階Ｓ２５)。  
【００５６】
把握された文章データの中からN番目の文章データをリーディングして、第１及び第２文字データインデックスと、第１音声データインデックスをリーディングして、これにより実体データが貯蔵されたメモリー領域を把握して、把握されたメモリー領域それぞれに貯蔵された第１及び第２文字データと第１音声データをリーディングして、これらを出力する(段階Ｓ２６)。そして、使用者が選択した役目を話すことができるように一定時間の間待機して、一定時間が経過されると(段階Ｓ２７)、出力された文章が最後の文章だったのかを確認して(段階Ｓ２８)、次の文章が存在すると次の文章(N+１番目の文章)を現在出力される文章で再認識して(段階Ｓ２９)、段階Ｓ２６に進行する。
【００５７】
一方、出力された文章が最後の文章だったら、学習データの提供を終了する。
【００５８】
また、段階Ｓ２３の確認結果、対話項目が選択されなかったら、マルチミディア学習装置は、追う項目（真似る）が選択されているのかを確認する(段階Ｓ２１０)。
【００５９】
段階Ｓ２１０の確認結果、追う（真似る）項目が選択されていたら、マルチメディア学習装置は選択された句データに貯蔵されたすべての文章インデックス情報をリーディングする(段階Ｓ２１１)。
【００６０】
リーディングされた文章インデックス情報を利用して選択された句データにあたるあらゆる文章データを把握する(段階Ｓ２１２)。
【００６１】
把握された文章データの中からN番目の文章データをリーディングして、第１及び第２文字データインデックスと、第１音声データインデックスをリーディングして、これによって実体データが貯蔵されたメモリー領域を把握して、把握されたメモリー領域それぞれに貯蔵された第１及び第２文字データと、第１音声データをリーディングして、これらを出力する(段階Ｓ２１３)。そして、使用者が出力された文章を追うことができるように一定時間の間待機して、一定時間が経過されると(段階Ｓ２１４)、出力された文章が最後の文章だったのかを確認して(段階Ｓ２１５)、次の文章が存在すると次の文章(N+１番目の文章)を現在出力される文章に再認識して(段階Ｓ２１６)、段階Ｓ２１３に進行する。
【００６２】
一方、出力された文章が最後の文章だったら、学習データの提供を終了する。
【００６３】
また、段階Ｓ２１０の確認結果、追う項目が設定されなかったら、マルチミディア学習装置は初期化の時に設定された学習環境をリーディングして作文する項目が選択されたのかを確認する(段階Ｓ２１７)。
【００６４】
段階Ｓ２１７の確認結果、作文する項目が設定されたら、マルチメディア学習装置は、選択された句データにあたるすべての文章インデックス情報を皆リーディングする(段階Ｓ２１８)。
【００６５】
段階Ｓ２１８を通してリーディングされた文章インデックス情報から該当の句データに該当するすべての文章データを把握する(段階Ｓ２１９)。
【００６６】
把握された文章データの中からN番目の文章データに貯蔵された第２文字データインデックス情報をリーディングして、実体データが貯蔵されたメモリー領域のアドレスを把握して、把握されたメモリー領域それぞれに貯蔵された第２文字データをリーディングして画面に表示する(段階Ｓ２２０)。そして使用者が画面に表示された第２文章データに該当する外国語を入力完了すると(段階Ｓ２２１)、マルチメディア学習装置は、N番目の文章データに貯蔵された第１文字データをリーディングして、画面に表示する(段階Ｓ２２２)。
【００６７】
現在画面に表示された文章が最後の文章だったのかを確認して(段階Ｓ２２３)、次の文章が存在すれば次の文章(N+１番目の文章)を現在画面に表示される文章で再認識して(段階Ｓ２２４)、段階Ｓ２１３に進行する。
【００６８】
一方、出力された文章が最後の文章だったら、学習データの提供を終了する。
【００６９】
また、段階Ｓ２１７の確認結果、作文する項目が設定されなかったら、マルチミディア学習装置は、学習しようとする文章データを選択するようにする文章メニューを画面に表示して、使用者は図９〜図１３に説明された検索方法を利用して提供受けようとする文章メニューを検索する(段階Ｓ２２５)。
【００７０】
段階Ｓ２２５を通して学習しようと文章メニューの検索が完了すると、マルチメディア学習装置は、該当の文章データに貯蔵された第１及び第２文字データインデックスと、第１音声データインデックスをリーディングして、これによって実体データが貯蔵されたメモリー領域を把握して、把握されたメモリー領域それぞれに貯蔵された第１及び第２文字データと、第１音声データをリーディングして、これらを出力する(段階Ｓ２２６)。
【００７１】
図１６及び図１７は、本発明のデータベースを利用するマルチメディア学習装置の学習データ提供方法の他の実施例を説明するためのフローチャートである。
【００７２】
この時のマルチメディア学習装置は反復学習の学習方法を提供すると仮定する。
【００７３】
反復学習では章、節、句、文章単位で遂行することができる。
【００７４】
使用者が章単位反復学習を設定すると、該当の章に含まれる節、句、文章を皆一つのグループで設定して、ここにあたる学習データを反復して提供する
【００７５】
これと同様な方法で節単位反復学習を設定した場合には、該当の節に含まれる句、文章を一つのグループで設定し、句単位反復学習を設定した場合には該当の句に含まれる文章を一つのグループで設定し、文章単位反復学習を設定した場合には該当文章を一つのグループで設定して、これを反復して提供する。
【００７６】
先にマルチメディア学習装置の電源がオンされて初期化作業が遂行されると、使用者は画面やキーボタンを操作して学習環境を設定する。使用者は章、節、句、文章単位で反復学習回数を設定する(段階Ｓ３１)。
【００７７】
初期化作業が完了すると、使用者は図９〜図１３に説明された検索方法を利用して提供受けようとする学習データが貯蔵されている特定章メニューを選択する(段階Ｓ３２)。
【００７８】
そうすると、マルチメディア学習装置は初期化時に設定された学習環境をリーディングして、章単位反復学習機能を設定したのか確認する(段階Ｓ３３)。
【００７９】
段階Ｓ３３の確認結果、章単位反復学習機能が設定されていれば、選択された章メニューの下位メニューである節メニュー、句メニュー、文章メニューを皆一つのグループで設定して、これにあたるすべての文章データを把握する。そして把握された文章データにあたる文章を順次的に皆出力する(段階Ｓ３４)。
【００８０】
現在の出力回数と初期化時に設定された反復回数を比べて(段階Ｓ３５)、比較結果、現在の出力回数と初期化時に設定された反復回数より小さいと、現在出力回数をN+１に再認識して(段階Ｓ３６)、また段階Ｓ３４に進行する。
【００８１】
一方、現在出力回数が初期化時に設定された反復回数と同一であれば、反復学習を終了する。
【００８２】
段階Ｓ３３の確認結果、章単位反復学習機能を設定されていなければ、使用者は、また図９〜図１３に説明された検索方法を利用して提供されようとする学習データが貯蔵されている特定節メニューを選択する(段階Ｓ３７)。
【００８３】
そうすると、マルチメディア学習装置は初期化時に設定された学習環境をリーディングして、節単位反復学習機能を設定したのかを確認する(段階Ｓ３８)。
【００８４】
段階Ｓ３８の確認結果、節単位反復学習機能を設定されていると、選択された節メニューの下位メニューである句メニュー、文章メニューを皆一つのグループで設定して、これにあたるすべての文章データを把握する。そして把握された文章データに該当する文章を順次的に皆出力する(段階Ｓ３９)。
【００８５】
現在の出力回数と初期化時に設定された反復回数を比べて(段階Ｓ３１０)、比較結果、現在の出力回数と初期化時に設定された反復回数より小さいと現在出力回収をN+１に再認識して(段階Ｓ３１１)、また段階Ｓ３９に進行する。
【００８６】
一方、現在出力回数が初期化時に設定された反復回数と同一であれば、反復学習を終了する。
【００８７】
段階Ｓ３８の確認結果、節単位反復学習機能を設定されていないと、使用者はまた図９〜図１３に説明された検索方法を利用して提供受けようとする学習データが貯蔵されている特定句メニューを選択する(段階Ｓ３１２)。
【００８８】
そうすると、マルチメディア学習装置は初期化時に設定された学習環境をリーディングして、句反復学習機能を設定したのかを確認する(段階Ｓ３１３)。
【００８９】
段階Ｓ３１３の確認結果、句反復学習機能を設定されていると、選択された句メニューの下位メニューである文章メニューを皆一つのグループで設定して、これにあたるすべての文章データを把握する。そして把握された文章データにあたる文章を順次的に皆出力する(段階Ｓ３１４)。
【００９０】
現在の出力回数と初期化時に設定された反復回数を比べて(段階Ｓ３１５)、比較結果、現在の出力回数と初期化時に設定された反復回数より小さいと現在出力回数をN+１に再認識して(段階Ｓ３１６)、また段階Ｓ３１４に進行する。
【００９１】
一方、現在出力回数が初期化時に設定された反復回数と同一であると、反復学習を終了する。
【００９２】
段階Ｓ３１３の確認結果、句単位反復学習機能を設定されていないと、使用者は、また図９〜図１３に説明された検索方法を利用して提供受けようとする学習データが貯蔵されている特定文章メニューを選択する(段階Ｓ３１７)。
【００９３】
そうすると、マルチメディア学習装置は初期化時に設定された学習環境をリーディングして、文章反復学習機能を設定したのかを確認する(段階Ｓ３１８)。
【００９４】
段階Ｓ３１８の確認結果、文章反復学習機能を設定されていると、選択された文章メニューにあたる文章データを把握する。そして把握された文章データに貯蔵された第１及び第２文字データと第１音声データをリーディングして、出力する(段階Ｓ３１９)。
【００９５】
現在の出力回数と初期化時に設定された反復回数を比べて(段階Ｓ３２０)、比較結果、現在の出力回数と初期化時に設定された反復回数より小さいと現在出力回数をN+１に再認識して(段階Ｓ３２１)、また段階Ｓ３９に進行する。
【００９６】
一方、現在出力回数が初期化時に設定された反復回数と同一であれば、学習データの提供を終了する。そして、段階Ｓ３１８の確認結果、文章反復学習機能が設定されていないと、選択された文章メニューにあたる文章データを把握して、リーディングして該当の文章データに貯蔵された第１及び第２文字データと第１音声データをリーディングして出力して(段階Ｓ３２２)、学習データの提供を終了する。
【００９７】
図１８は、本発明のファイルデータベースを利用するマルチメディア学習装置の学習データ提供方法のまた他の実施例を説明するためのフローチャートである。
【００９８】
先にマルチメディア学習装置の電源がオンされて、学習データの提供が始まると、使用者は図９〜図１３に説明された検索方法を利用して提供受けようとする学習データが貯蔵されている特定文章メニューを選択する(段階Ｓ４１)。
【００９９】
ここに選択された文章メニューにあたる文章データを把握して、第１及び第２文字データインデックスと第１音声データインデックスをリーディングして、これにより実体データが貯蔵されたメモリー領域のアドレスを把握して、把握されたメモリー領域それぞれに貯蔵された第１及び第２文字データと第１音声データをリーディングして、これらを出力する(段階Ｓ４２)。
【０１００】
この時マルチメディア学習装置が、使用者が文章転換機能を選択したことを感知すると(段階Ｓ４３)、マルチメディア学習装置は把握された文章データで第３文字データインデックスが存在するかを把握する(段階Ｓ４４)。
【０１０１】
第３文字データインデックスが存在すると、第３文字データインデックスを利用して、第３文字データが貯蔵されたメモリー領域を把握して、このメモリー領域に貯蔵された第３文字データをリーディングして、リーディングされた第３文字データを第１文字データの代りに出力して(段階Ｓ４５)、学習データの提供を終了する。
【０１０２】
図１８では文章転換機能が選択されると、第３文字データを第１文字データの代りに出力するようにしたが、必要によっては第３文字データを第２文字データに出力したり、第２音声データを第１音声データの代りに出力したり、第１文字データと第２文字データが表示される位置を変更して与える場合もある。
【０１０３】
また、前記に追加説明された文章転換方法以外にも文章データに貯蔵された複数個の文字データ、または音声データを利用して多様な方法で文章転換を遂行することができる。
【０１０４】
以上では、本発明の実施例を図面を参照して詳しく説明したが、本発明は前記した実施例に限定されず、以下の請求範囲で請求する本発明の要旨を脱することがなしに、本発明の分野で通常の知識を持った者なら誰でも多様な変形実施が可能であることは勿論であり、そのような変形は請求範囲の記載内にあるようになる。
【図面の簡単な説明】
【０１０５】
【図１】従来の技術に係るデータベースの構造を図示した図面。
【図２】本発明の技術に係るファイルデータベースの構造を図示した図面。
【図３】本発明の技術に係るファイルデータの構造を図示した図面。
【図４】本発明の技術に係る章データの構造を図示した図面。
【図５】本発明の技術に係る節データの構造を図示した図面。
【図６】本発明の技術に係る句データの構造を図示した図面。
【図７】本発明の技術に係る文章データの構造を図示した図面。
【図８】本発明のファイルデータベースを利用するマルチメディア学習装置の学習データ検索方法を説明するためのフローチャート。
【図９】図８のマルチメディア学習装置の学習データ検索方法によって表示される画面の実施例。
【図１０】図８のマルチメディア学習装置の学習データ検索方法によって表示される画面の実施例。
【図１１】図８のマルチメディア学習装置の学習データ検索方法によって表示される画面の実施例。
【図１２】図８のマルチメディア学習装置の学習データ検索方法によって表示される画面の実施例。
【図１３】図８のマルチメディア学習装置の学習データ検索方法によって表示される画面の実施例。
【図１４】本発明のファイルデータベースを利用するマルチメディア学習装置の学習データ提供方法の一例を説明するためのフローチャート。
【図１５】本発明のファイルデータベースを利用するマルチメディア学習装置の学習データ提供方法の一つの例を説明するためのフローチャート。
【図１６】本発明のファイルデータベースを利用するマルチメディア学習装置の学習データ提供方法の他の例を説明するためのフローチャート。
【図１７】本発明のファイルデータベースを利用するマルチメディア学習装置の学習データ提供方法の他の例を説明するためのフローチャート。
【図１８】本発明のファイルデータベースを利用するマルチメディア学習装置の学習データ提供方法のまた他の例を説明するためのフローチャート。
【図１】
2005202916.tif 000003
【図２】
2005202916.tif 000004
【図３】
2005202916.tif 000005
【図４】
2005202916.tif 000006
【図５】
2005202916.tif 000007
【図６】
2005202916.tif 000008
【図７】
2005202916.tif 000009
【図８】
2005202916.tif 000010
【図９】
2005202916.tif 000011
【図１０】
2005202916.tif 000012
【図１１】
2005202916.tif 000013
【図１２】
2005202916.tif 000014
【図１３】
2005202916.tif 000015
【図１４】
2005202916.tif 000016
【図１５】
2005202916.tif 000017
【図１６】
2005202916.tif 000018
【図１７】
2005202916.tif 000019
【図１８】
2005202916.tif 000020